(57)【要約】【課題】肌水分量の低下を抑えるとともに、肌への負担を抑えることができるウェットティシューを提供する。【解決手段】ティシュー基材２と、ティシュー基材２に含浸された薬液３と、を備えるウェットティシュー１において、薬液３に、保湿成分として、第１の保湿剤（ヒアルロン酸又はその塩）と、第２の保湿剤（アロエエキス）と、第３の保湿剤（プロピレングリコールなど）と、を配合した。【選択図】図１
2009131474.tif 000002
【特許請求の範囲】
【請求項１】
ティシュー基材と、前記ティシュー基材に含浸された薬液と、を備えるウェットティシューにおいて、
前記薬液に、保湿成分として、第１の保湿剤と、第２の保湿剤と、第３の保湿剤と、を配合し、
前記第１の保湿剤は、ヒアルロン酸又はその塩であり、
前記第２の保湿剤は、アロエエキスであることを特徴とするウェットティシュー。
【請求項２】
請求項１に記載のウェットティシューにおいて、
前記ティシュー基材に、当該ティシュー基材の乾燥重量に対して２００％以上の重量の前記薬液を含浸したことを特徴とするウェットティシュー。
【請求項３】
請求項１又は２に記載のウェットティシューにおいて、
前記ティシュー基材は、表面に、条状の凹部と、条状の凸部と、が形成されており、
前記条状の凹部と前記条状の凸部とにより形成される線状模様は、他の前記条状の凹部と前記条状の凸部とにより形成される線状模様と交差して杉綾模様を形成していることを特徴とするウェットティシュー。
【発明の詳細な説明】
【技術分野】
【０００１】
本発明は、ウェットティシューに関する。
【背景技術】
【０００２】
従来、不織布等のティシュー基材に薬液を含浸させたウェットティシューが知られている（例えば、特許文献１参照）。このウェットティシューは、例えば、身体や日用雑貨類を拭き取ることにより、汚れやゴミなどを効率的に除去することができるため、衛生・快適性を向上させる商品として広く利用されている。
【特許文献１】特開２００６−３４０９４９号公報
【発明の開示】
【発明が解決しようとする課題】
【０００３】
このようなウェットティシューにおいては、ウェットティシューを使用して身体を清拭した後の、肌水分量の低下を抑えることが望まれている。また、ウェットティシューを使用して身体を清拭する際の、摩擦による肌への負担を抑えることが望まれている。
【０００４】
本発明の課題は、肌水分量の低下を抑えるとともに、肌への負担を抑えることができるウェットティシューを提供することにある。
【課題を解決するための手段】
【０００５】
上記課題を解決するために、請求項１に記載の発明は、
ティシュー基材と、前記ティシュー基材に含浸された薬液と、を備えるウェットティシューにおいて、
前記薬液に、保湿成分として、第１の保湿剤と、第２の保湿剤と、第３の保湿剤と、を配合し、
前記第１の保湿剤は、ヒアルロン酸又はその塩であり、
前記第２の保湿剤は、アロエエキスであることを特徴とする。
【０００６】
請求項２に記載の発明は、
請求項１に記載のウェットティシューにおいて、
前記ティシュー基材に、当該ティシュー基材の乾燥重量に対して２００％以上の重量の前記薬液を含浸したことを特徴とする。
【０００７】
請求項３に記載の発明は、
請求項１又は２に記載のウェットティシューにおいて、
前記ティシュー基材は、表面に、条状の凹部と、条状の凸部と、が形成されており、
前記条状の凹部と前記条状の凸部とにより形成される線状模様は、他の前記条状の凹部と前記条状の凸部とにより形成される線状模様と交差して杉綾模様を形成していることを特徴とする。
【発明の効果】
【０００８】
請求項１に記載の発明によれば、ティシュー基材と、ティシュー基材に含浸された薬液と、を備えるウェットティシューにおいて、薬液に、保湿成分として、第１の保湿剤と、第２の保湿剤と、第３の保湿剤と、を配合し、第１の保湿剤は、ヒアルロン酸又はその塩であり、第２の保湿剤は、アロエエキスであるため、ウェットティシューを使用して身体を清拭した後の、肌水分量の低下を抑えることができるとともに、ウェットティシューを使用して身体を清拭する際の、摩擦による肌への負担を抑えることができる。
【０００９】
請求項２に記載の発明によれば、請求項１に記載の発明と同様の効果が得られることは無論のこと、ティシュー基材に、当該ティシュー基材の乾燥重量に対して２００％以上の重量の薬液を含浸したため、薬液が有する、肌水分量の低下を抑えるという効果（保湿効果）及び摩擦による肌への負担を抑えるという効果（摩擦低減効果）を十分に発揮することができる。
【００１０】
請求項３に記載の発明によれば、請求項１又は２に記載の発明と同様の効果が得られることは無論のこと、ティシュー基材は、表面に、条状の凹部と、条状の凸部と、が形成されており、条状の凹部と条状の凸部とにより形成される線状模様は、他の条状の凹部と条状の凸部とにより形成される線状模様と交差して杉綾模様を形成しているため、どの方向に拭き取りを行っても、汚れを綺麗に拭き取ることができる。
【発明を実施するための最良の形態】
【００１１】
以下、図を参照して、本発明にかかるウェットティシューの最良の形態を詳細に説明する。
【００１２】
＜ウェットティシューの構成＞
本発明のウェットティシュー１は、例えば、図１に示すように、ティシュー基材２と、ティシュー基材２に含浸された薬液３と、などを備えて構成される。
【００１３】
（ティシュー基材）
ティシュー基材２は、例えば、繊維集合体からなる、ウェットティシュー１用のティシュー基材である。ティシュー基材２としては、繊維集合体からなるものであれば特に限定されるものではなく、例えば、紙や不織布の他、織布なども用いることができ、また、水解性を有していないものの他、水解性を有しているものも用いることができる。
【００１４】
ティシュー基材２を構成する繊維としては、天然繊維、再生繊維、合成繊維を問わず用いることができるが、少なくとも親水性繊維を含有するものが好ましい。
親水性繊維としては、例えば、綿、パルプなどの天然繊維、レーヨン、キュプラなどの再生繊維などを使用することができる。これらの繊維の中でも特にレーヨンが好適である。レーヨンは、吸水性に富み、取り扱いが容易であるとともに、一定長の繊維を安価に入手することができるからである。
親水性繊維は、例えば、ティシュー基材２中に５０〜７０重量％の含有比で配合するのが望ましい。親水性繊維の含有量が５０重量％未満であると、十分な柔軟性と保水性を与えることができず、また、７０重量％を超えると、湿潤時強度が低すぎて破れなどが生じ易くなるとともに、容器からポップアップ式で取り出す際に伸びが生じ過ぎるようになるからである。
【００１５】
さらに、ティシュー基材２を構成する繊維として、上記親水性繊維に加えて熱融着性繊維を含有するのが好ましい。熱融着性繊維を用いることによって、繊維相互を融着結合することができるからである。
熱融着性繊維としては、例えば、加熱によって溶融し相互に接着性を発現する任意の繊維を用いることができる。この熱融着性繊維は、単一繊維からなるものであってもよいし、２種以上の合成樹脂を組み合わせた複合繊維などであってもよい。具体的には、例えば、ポリエチレン、ポリプロピレン、ポリビニルアルコールなどのポリオレフィン系単一繊維や、ポリエチレンテレフタレート／ポリエチレン、ポリエチレンテレフタレート／ポリプロピレン、ポリプロピレン／ポリエチレン、ポリエチレンテレフタレート−エチレン・プロピレン共重合体、低融点ポリエステル−ポリエステルなどからなる鞘部分が相対的に低融点とされる芯鞘型複合繊維又は偏心芯鞘型複合繊維、又はポリエチレンテレフタレート／ポリプロピレン、ポリエチレンテレフタレート／ナイロン、ポロプロピレン／ポリエチレンからなる各成分の一部が表面に露出している分割型複合繊維、或いはポリエチレンテレフタレート／エチレン−プロピレン共重合体からなる一方の成分の熱収縮により分割する熱分割型複合繊維などを用いることができる。生産性及び寸法安定性を重視する場合は、芯鞘型複合繊維が好ましく、ボリューム感を重視する場合は、偏心型複合繊維が好ましい。また、柔軟性を重視する場合は、分割型複合繊維や熱分割型複合繊維が、高圧水流処理によって各成分が容易に分割して極細繊維化されるようになるため、好ましい。
熱融着性繊維は、例えば、ティシュー基材２中に１０〜３０重量％の含有比で配合するのが望ましい。熱融着性繊維の含有量が１０重量％未満であると、湿潤時強度が確保し得ないとともに、容器からポップアップ式で取り出す際に伸びが大きくなり過ぎるようになり、また、３０重量％を超えると、風合いが硬くなって手触り感がざらついた感触となり、ウェットティシュー１のティシュー基材２としては好ましくないものとなるからである。
【００１６】
また、ティシュー基材２を構成する繊維は、上記親水性繊維及び上記熱融着性繊維に加えて、熱可塑性合成繊維を混合することができる。
熱可塑性繊維としては、種々の合成繊維が存在するが、特にポリエステル繊維が好適である。ポリエチレン、ポリプロピレンなどのポリオレフィン系繊維は、高圧水流処理した際の交絡性が悪いとともに、毛羽立ち易く、湿潤強度に劣るため好ましくない。また、ナイロンなどのポリアミド系繊維は、親水性であるため好ましくない。
熱可塑性繊維は、例えば、ティシュー基材２中に４０重量％以下の含有比で混合するのが望ましい。熱可塑性繊維の含有量が４０重量％を超えると、保水性が損なわれ、ウェット性能が著しく低下するようになるからである。
ここで、ティシュー基材２を構成する繊維として熱可塑性繊維を混入することにより、湿潤時のコシが向上し、嵩のあるティシュー基材２を得ることができるようになる。また、熱可塑性繊維の一部がティシュー基材２の表面から露出することで、熱可塑性繊維の疎水性によって、湿潤時においてもべた付き感を緩和し、さらりとした感触を付与することができるようになる。
【００１７】
なお、熱可塑性繊維は、熱捲縮性を有することが望ましい。熱捲縮性を与えるためには、熱可塑性繊維に対して熱収縮温度の異なる合成樹脂を貼り合わせたサイド・バイ・サイド型複合繊維の形態を採用するとよい。具体的には、例えば、ポリエステル繊維の融点は、ポリエチレンテレフタレートが２５５℃、ポリブチレンテレフタレートが２１５℃であるため、これに貼り合わせる低融点樹脂としては、例えば、前述の熱融着性繊維の融点温度とほぼ同等の融点温度を有する樹脂を用いるようにするのがよい。
【００１８】
ティシュー基材２の形状は、特に限定されるものではなく、例えば、シート状の他、厚みのあるブロック状であってもよい。
ティシュー基材２の形状がシート状である場合、目付け量は２０〜８０ｇ／ｍ２程度が好ましく、３０〜６０ｇ／ｍ２程度がより好ましい。目付け量が３０ｇ／ｍ２未満であると、汚れの保持能力が乏しくなるとともに、後述する凹部２１…及び凸部２２…の付与が困難になり、また、６０ｇ／ｍ２を超えると、柔軟性が乏しくなるからである。
【００１９】
ティシュー基材２の表面は、平坦なものであってもよいが、効果の持続性をより優れたものとするために、例えば、図２及び図３に示すような、凹部２１…及び凸部２２…が形成されているものが好ましい。この場合、凸部２２…により汚れ掻き取り効果が向上し、また凹部２１…により汚れ収容効果が向上する。その結果、拭き取り対象面における汚れ除去効果が向上する。
なお、図２は、ティシュー基材２の両面に凹部２１…及び凸部２２…を形成したウェットティシュー１の例を示しており、図３は、ティシュー基材２の片面に凹部２１…及び凸部２２…を形成したウェットティシュー１の例を示している。
【００２０】
凹部２１…の繊維密度は、例えば、凸部２２…の繊維密度よりも低いのが好ましい。すなわち、凹部２１…は、相対的に繊維密度が低く、凸部２２…は、相対的に繊維密度の高いのが好ましい。凸部２２…の繊維密度を高くすることにより凸部２２…の剛性が高まることになるため、凸部２２…の掻き取り能力が向上するとともに、凹部２１…の繊維密度を低くすることにより凹部２１…の繊維間隙が広がることになるため、凹部２１…の汚れ収容能力が向上するからである。また、繊維密度の低い凹部２１…における屈曲容易性によって、構造的にも適度な柔らかさが付与されるようになり、さらに、繊維密度の低い凹部２１…と繊維密度の高い凸部２２…とによる凹凸模様によって、適度な風合いが付与されるようになるからである。
【００２１】
凹部２１…及び凸部２２…は、例えば、条状（線状）に交互に形成されるのが好ましい。なお、凹部２１…及び凸部２２…は、交互に形成するのが好ましいが、これに限定されるものではなく、例えば、不規則に形成することもできる。また、凹部２１…及び凸部２２…は、条状に形成するのが好ましいが、これに限定されるものではなく、例えば、点状に形成することもできる。
【００２２】
ここで、例えば、図４に示すように、条状の凹部２１…と条状の凸部２２…とを平行かつ交互に形成してもよいが、このように形成すると、その延在方向の拭き取り時には凸部２２…による掻き取り効果及び凹部２１…による収容効果が発揮されない。したがって、例えば、図１に示すように、条状の凹部２１…と条状の凸部２２…とによって形成される線状模様が、他の条状の凹部２１…と条状の凸部２２…とによって形成される線状模様と交差する交差模様（図１においては杉綾模様）を形成するのが好ましい。このような交差模様にすることにより、どの方向に拭き取りを行っても、凸部２２…の存在によって汚れが凹部２１…内に押し込められるとともに、最後は凸部２２…によって汚れがすくい取られるようになるため、綺麗に拭き取りが行えるようになるからである。
【００２３】
凹部２１…と凸部２２…とによって形成される線状模様の交差模様としては、その線状模様が他の線状模様と交差していれば良く、例えば、図１に示す杉綾模様以外に、格子模様、菱形模様などの種々の模様とすることができる。
凹部２１…と凸部２２…とによって形成される線状模様の線本数は３〜９本／ｃｍであることが望ましい。線本数が３本／ｃｍ未満であると、ティシュー基材２の表面が平坦に近づくため、一旦捕捉された汚れが転着し易くなり、また、線本数が９本／ｃｍを超えると、凹部２１と凸部２２とで形成される空間の容積が小さくなり過ぎるため、凹部２１…に所望の量の汚れを確保できないようになるからである。
【００２４】
また、図２及び図３に示すように、凸部２２の裏面からの高さ（厚み）Ｈｍは、例えば、３００〜８００μｍ程度が好ましく、４５０〜６５０μｍ程度がより好ましい。また、凹部２１の裏面からの高さ（厚み）Ｈｄは、例えば、１００〜５００μｍ程度が好ましく、２００〜４００μｍ程度がより好ましい。別の視点から言えば、凹部２１と凸部２２との高低差は、５０〜３００μｍ程度が好ましく、７５〜１５０μｍ程度がより好ましい。高低差が５０μｍ未満であると、凹部２１による捕捉効果を多く期待することができず、所望の拭取り量が確保できないようになり、また、３００μｍを超えると、ティシュー基材２の厚みが厚くなって、柔軟性や手触り感が損なわれるからである。
【００２５】
ティシュー基材２は、例えば、スパムレース法を応用して製造することができる。
具体的には、例えば、ティシュー基材２に付与する所望の表面凹凸模様を有するワイヤメッシュ上に、レーヨンなどの親水性繊維と、ポリエチレン、ポリプロピレンなどの熱融着性繊維と、ポリエステル繊維などの熱可塑性繊維と、などからなる繊維ウエブを積層し、搬送中にこの繊維ウエブの上方から高圧水流を噴射して繊維同士を交絡させる。この際、ワイヤメッシュのワイヤが存在する部分の繊維は、高圧水流の衝突エネルギーによってワイヤの両側に押し分けられ開孔側に移動されるため、メッシュ開孔部の繊維部分は相対的に繊維密度が高くなるとともに、開孔形状に合わせて凸状（凸部２２）が形成される。その一方で、ワイヤが存在する部分は相対的に繊維密度が小さくなるとともに、ワイヤに沿って凹状（凹部２１）が形成される。
【００２６】
高圧水流により各繊維は相互に絡み合い繊維ウエブ全体が一体化される。その後、一体化された繊維ウエブに対して、熱融着性繊維の融点近傍の温度で熱処理を行い、熱融着繊維を溶融することにより繊維相互を結合するとともに、熱捲縮性を有する熱可塑性繊維を捲縮化することにより嵩高性を付与する。
【００２７】
なお、上記製造方法は、スパンレース法を応用したものであるが、無論、これ以外の方法（例えば、湿式法、乾式法、スパンボンド法、メルトブロー法、ニードルパンチ法、ステッチボンド法など）であっても、凹部２１…及び凸部２２…を有するティシュー基材２を製造することはできる。
【００２８】
（薬液）
薬液３は、例えば、水（精製水）を主成分とする、ウェットティシュー１用の薬液である。
薬液３には、保湿成分として、第１の保湿剤と、第２の保湿剤と、第３の保湿剤と、が配合されている。
【００２９】
第１の保湿剤は、ヒアルロン酸又はその塩である。
ヒアルロン酸又はその塩は、ヒアルロン酸又はその塩の効果（保湿効果や摩擦低減効果）とコストのバランスから、例えば、薬液３中に０．０００２〜１．０重量％の配合比で配合するのが望ましい。
なお、薬液３には、ヒアルロン酸又はその塩を配合してもよいし、ヒアルロン酸及び１又は複数種類のその塩を配合してもよい。ヒアルロン酸及び１又は複数種類のその塩を配合する際、これらの配合比は合計で０．０００２〜１．０重量％であるのが望ましい。
【００３０】
第２の保湿剤は、アロエエキスである。
アロエエキスは、アロエエキスの効果（保湿効果や摩擦低減効果）とコストのバランスから、例えば、薬液３中に０．０００００５〜１．０重量％の配合比で配合するのが望ましい。
【００３１】
第３の保湿剤は、例えば、プロピレングリコールである。
なお、第３の保湿剤は、プロピレングリコールに限るものではない。第３の保湿剤としては、保湿作用があれば特に限定されるものではなく、例えば、延命草エキス、オトギリソウエキス、オオムギエキス、オレンジエキス、海藻エキス、カミツレエキス、キューカンバエキス、コンフリーエキス、ゴボウエキス、シイタケエキス、ジオウエキス、シソエキス、セージエキス、デュークエキス、冬虫夏草エキス、ドクダミエキス、ハタケシメジエキス、ビワエキス、ブドウ葉エキス、フユボダイジュエキス、プルーンエキス、ヘチマエキス、ボタンピエキス、マイカイエキス、モモノハエキス、ユリエキス、リンゴエキス、アーモンド油、オリーブ油、ゴマ油、サフラワー油、ジメチルシリコーン、シリコーン油、変性シリコーン、大豆油、椿油、ヒマシ油、ホホバ油、ミンク油、ヤシ油、ラノリン、アラビノース、ガラクトース、キシロース、グルコース、ショ糖、ソルビトール、フルクトース、マルトース、マルチトール、マンノース、ミツロウ、プラセンタエキス、ラムノース、キシロビオース、キシロオリゴ糖、チューベローズポリサッカライド、トリサッカライド、トレハロース、可溶性コラーゲン、グリチルリチン、コンドロイチン硫酸、ジグリセリン、スクワラン、セラミド類似化合物、トリグリセリン、尿素、ビタミンＣリン酸エステルカルシウム塩、ビタミンＥ、ピロリドンカルボン酸ナトリウム、ヒノキチオール、流動パラフィン、ワセリン、多価アルコールなどであっても良い。
【００３２】
これらの保湿剤のうち、延命草エキス、オトギリソウエキス、コンフリーエキス、シソエキス、セージエキス、セラミド類似化合物、ドクダミエキス、ハタケシメジエキス、ビワエキス、フユボダイジュエキス、ボタンピエキス、ヒマシ油、ホホバ油、ラノリン、プラセンタエキス、ラムノース、キシロオリゴ糖、可溶性コラーゲン、グリセリン、コンドロイチン硫酸、スクワラン、尿素、多価アルコールが肌に対する保湿効果が高く、好ましく使用できる。多価アルコールとしては、エチレングリコール、グリセリン、１，３−ブチレングリコール、プロピレングリコールなどが好ましい。中でも、キシロオリゴ糖、セラミド類似化合物、ハタケシメジエキス、尿素及び１，３−ブチレングリコールがより好ましく、プロピレングリコールが最も好ましい。プロピレングリコールは、保湿効果や摩擦低減効果が高いとともに、後述する防腐剤（パラベン類）の溶剤として利用できるからである。
【００３３】
第３の保湿剤の配合比は、用いる保湿剤の保湿作用や摩擦低減作用の度合いに応じて適宜任意に設定することができる。例えば、第３の保湿剤がプロプレングリコールである場合は、例えば、薬液３中に２〜８重量％の配合比で配合するのが望ましい。プロピレングリコールの配合比が２重量％未満であると、保湿効果や摩擦低減効果の向上及び防腐剤の溶剤として機能するというプロピレングリコールを配合することによる効果を十分に発揮することができなくなり、また、８重量％を超えると、使用後のベタツキ感が大きくなり、使用者が不快を感じるからである。
なお、第３の保湿剤は、上記複数の保湿剤のうちの１種類であってもよいし、複数種類であってもよい。
【００３４】
また、薬液３には、例えば、防腐剤が配合されているのが好ましい。防腐剤を配合することによって、薬液３の腐敗を防止することができるからである。
防腐剤としては、防腐作用があれば特に限定されるものではなく、例えば、パラベン類（メチルパラベン、エチルパラベン、プロピルパラベン、ブチルパラベンなど）、塩化セチルピリジニウムなどが挙げられる。
薬液３における防腐剤の配合比は、用いる防腐剤の防腐作用の程度に応じて適宜任意に設定することができる。
なお、薬液３に配合される防腐剤は、１種類（例えば、メチルパラベンのみ）であってもよし、複数種類（例えば、メチルパラベン、エチルパラベン、プロピルパラベン及び塩化セチルピリジニウム）であってもよい。
【００３５】
また、薬液３には、例えば、ｐＨ調整剤が配合されているのが好ましい。ｐＨ調整剤を配合することによって、薬液３のｐＨを好適なｐＨ（例えば、弱酸性）に調整したり、薬液３の保湿性を向上させたりできるからである。
ｐＨ調整剤としては、ｐＨ調整作用があれば特に限定されるものではなく、例えば、クエン酸、クエン酸ナトリウムなどが挙げられる。
薬液３におけるｐＨ調整剤の配合比は、用いるｐＨ調整剤のｐＨ調整作用の程度や目的とする薬液３のｐＨに応じて適宜任意に設定することができる。
なお、薬液３に含まれるｐＨ調整剤は、１種類であってもよいし、複数種類であってもよい。
【００３６】
薬液３は、主成分である精製水に、第１の保湿剤（ヒアルロン酸又はその塩）、第２の保湿剤（アロエエキス）、第３の保湿剤（プロピレングリコールなど）、防腐剤、ｐＨ調整剤などを添加することにより製造することができる。これらの薬剤を添加する順番は、適宜任意に設定することができる。
【００３７】
ここで、ティシュー基材２に含浸される薬液３の重量は、例えば、ティシュー基材２の乾燥重量に対して２００％以上であるのが好ましい。ティシュー基材２に含浸される薬液３の重量が２００％未満であると、薬液３が有する保湿効果及び摩擦低減効果を十分に発揮できなくなるからである。
【００３８】
＜実施例１＞
以下に、具体的な実施例によって本発明を更に詳細に説明するが、本発明はこれらに限定されるものではない。
【００３９】
（薬液の製造）
まず、実施例１のウェットティシュー１が備える薬液３を製造した。
具体的には、例えば、（１）精製水にヒアルロン酸ナトリウム水溶液を溶解して、溶液Ａを作製し、（２）プロプレングリコールにメチルパラベン、エチルパラベン及びプロピルパラベンを溶解して、溶液Ｂを作製し、（３）溶液Ａと溶液Ｂを混合し、（４）その混合液に、塩化セチルピリジニウムを添加し、（５）アロエエキス水溶液を添加し、（６）クエン酸ナトリウムを添加することによって、実施例１の薬液３を製造した。
比較のために、保湿剤を含まない薬液（比較例１の薬液）と、薬剤を含まない薬液（比較例２の薬液）も製造した。
【００４０】
表１に、実施例１の薬液３を構成する成分の種類と、その成分の配合比と、を示すとともに、比較例１及び比較例２の薬液を構成する成分の種類と、その成分の配合比と、を示す。
【表１】
2009131474.tif 000003
【００４１】
ここで、ヒアルロン酸ナトリウム水溶液とは、ヒアルロン酸ナトリウム１％水溶液のことであり、アロエエキス水溶液とは、１，３−ブチレングリコールが添加された、アロエエキス０．０５〜０．２％水溶液のことである。したがって、実施例１の薬液３においては、ヒアルロン酸ナトリウム１％水溶液が０．１０００重量％配合されているため、ヒアルロン酸ナトリウムが０．００１０００重量％配合されていることになり、アロエエキス０．０５〜０．２％水溶液が０．０１００重量％配合されているため、アロエエキスが０．０００００５０００〜０．００００２０００重量％配合されていることになる。
【００４２】
（保湿試験）
次に、保湿試験を行った。
具体的には、例えば、（１）被験部位（腕の外側）を石鹸で洗浄し、（２）こすらないようにして、被験部位の水分を十分に拭き取り、（３）恒温室（温度２５℃、湿度２５％）に入室して、３０分間安静にし、（４）被験部位の角質水分量を測定し、（５）実施例１の薬液３を被験部位に塗布して、５分間安静にし、（６）被験部位から実施例１の薬液３を拭き取り、（７）被験部位の角質水分量を、拭き取り直後、１分後、５分後、２０分後、６０分後に測定することによって、保湿試験を行った。比較のために、比較例１の薬液、比較例２の薬液でも同様の試験を行った。その結果を、図５に示す。
【００４３】
図５の横軸は拭き取りからの経過時間であり、縦軸は角質水分量である。ここで、縦軸の角質水分量の単位μＳ（micro Siemens（マイクロジーメンス））は、電気伝導率の単位である。本実施例では、角質水分量を、被験部位の角質の水分量を直接的に計測することにより測定したのではなく、水分量に比例して電気伝導率が変化することを利用して、被験部位の電気伝導率を計測することにより測定した。電気伝導率の計測には、コルネオメータ（株式会社インテグラル製）を使用した。
図５の丸プロット（●）は実施例１の薬液３を被験部位に塗布した場合の結果であり、三角プロット（▲）は比較例１の薬液を被験部位に塗布した場合の結果であり、四角プロット（■）比較例２の薬液を被験部位に塗布した場合の結果である。
【００４４】
図５によれば、実施例１の薬液３、比較例１の薬液及び比較例２の薬液を塗布する前の角質水分量は、約３８μＳであった。
そして、実施例１の薬液３を塗布して拭き取ると、拭き取り直後で約１００μＳあった角質水分量が、拭き取りから１分で約５６μＳ、５分で約５１μＳ、２０分で約４７μＳ、６０分で約４７μＳとなった。これにより、実施例１の薬液３を塗布して拭き取ると、拭き取り直後から２０分の範囲では、時間が経過するにつれて角質水分量が減少していくが、２０分以降の範囲では、時間が経過しても角質水分量がほぼ一定に保たれることが分かった。
一方、比較例１の薬液を塗布して拭き取ると、拭き取り直後で約９５μＳあった角質水分量が、拭き取りから１分で約５４μＳ、５分で約４７μＳ、２０分で約４５μＳ、６０分で約４１μＳとなった。これにより、比較例１の薬液を塗布して拭き取ると、時間が経過するにつれて角質水分量が減少していくことが分かった。
また、比較例２の薬液を塗布して拭き取ると、拭き取り直後で約１００μＳあった角質水分量が、拭き取りから１分で約５２μＳ、５分で約４７μＳ、２０分で約４４μＳ、６０分で約３９μＳとなった。これにより、比較例２の薬液を塗布して拭き取ると、時間が経過するにつれて角質水分量が減少していくことが分かった。
【００４５】
以上の結果から、薬液にヒアルロン酸ナトリウム、アロエエキス及びプロピレングリコールを配合することによって、薬液の保湿効果が向上することが分かった。
また、実施例１の薬液３を塗布した場合に角質水分量の低下が抑えられることから、実施例１の薬液３は、蒸散しにくいことが分かった。従来のウェットティシューを使用して身体を清拭すると、肌表面に残った水分（薬液）が蒸発して肌表面の体温が奪われ、冷たさを感じてしまうという問題があったが、本発明のウェットティシュー１の薬液３は蒸散しにくいため、ウェットティシュー１を使用して身体を清拭すると、従来のウェットティシューで感じていたような冷たさを低減することができる。
【００４６】
（ウェットティシューの製造）
次に、実施例１のウェットティシュー１を製造した。
具体的には、例えば、ティシュー基材２に実施例１の薬液３を含浸させることによって、ウェットティシュー１を製造した。ティシュー基材２に含浸させた薬液３の重量は、ティシュー基材２の乾燥重量に対して２３５％とした。
比較のために、ティシュー基材２に比較例１の薬液の含浸させることによって製造されたウェットティシュー（比較例１のウェットティシュー）と、ティシュー基材２に比較例２の薬液を含浸させることによって製造されたウェットティシュー（比較例２のウェットティシュー）も製造した。比較例１及び２のウェットティシューにおいても、ティシュー基材２に含浸させた薬液の重量は、ティシュー基材２の乾燥重量に対して２３５％とした。
【００４７】
（摩擦試験）
次に、摩擦試験を行った。
具体的には、例えば、（１）直径０．５ｍｍのピアノ線を１０本隣接させてなる、長さ及び幅がともに５ｍｍとなるよう形成された接触面を有する摩擦子を用意し、（２）摩擦子の接触面を、実施例１のウェットティシュー１の表面に対して５０ｇの接触圧で接触させながら、張力が付与された方向と略同じ方向に速度０．１ｃｍ／ｓで２ｃｍ移動させ、（３）移動中の摩擦係数（ＭＩＵ）を測定することによって、摩擦試験を行った。摩擦係数の測定には、摩擦感テスター  ＫＥＳ−ＳＥ（カトーテック株式会社製）を使用した。比較のために、比較例１のウェットティシュー、比較例２のウェットティシュー、市販のカシミアマフラー、市販の綿ハンカチでも同様の試験を行った。なお、カシミアマフラー及び綿ハンカチは、乾燥状態で摩擦試験を行った。その結果を、図６に示す。
【００４８】
図６の縦軸は摩擦係数（ＭＩＵ）である。実施例１のウェットティシュー１の摩擦係数は０．２３４、比較例１のウェットティシューの摩擦係数は０．２５５、比較例２のウェットティシューの摩擦係数は０．２６６、カシミアマフラーの摩擦係数は０．１８９、綿ハンカチの摩擦係数は０．２１９であった。これにより、実施例１のウェットティシュー１の摩擦抵抗は、乾燥状態のカシミアマフラーや綿ハンカチよりは大きいものの、比較例１のウェットティシューや比較例２のウェットティシューよりも小さいことが分かった。
【００４９】
以上の結果から、薬液にヒアルロン酸ナトリウム、アロエエキス及びプロピレングリコールを配合することによって、薬液の摩擦低減効果が向上することが分かった。
【００５０】
以上説明した本発明のウェットティシュー１によれば、ティシュー基材２と、ティシュー基材２に含浸された薬液３と、を備えており、薬液３には、保湿成分として、第１の保湿剤（ヒアルロン酸又はその塩）と、第２の保湿剤（アロエエキス）と、第３の保湿剤（プロピレングリコールなど）と、が配合されている。したがって、ウェットティシューを使用して身体を清拭した後の、肌水分量の低下を抑えることができるとともに、ウェットティシューを使用して身体を清拭する際の、摩擦による肌への負担を抑えることができる。
【００５１】
また、本発明のウェットティシュー１によれば、ティシュー基材２には、当該ティシュー基材２の乾燥重量に対して２００％以上の重量の薬液が含浸されている。したがって、薬液３が有する、肌水分量の低下を十分に抑えることができるという効果（保湿効果）及び摩擦による肌への負担を十分に抑えることができるという効果（摩擦低減効果）を十分に発揮することができる。
【００５２】
また、本発明のウェットティシュー１によれば、ティシュー基材２は、表面に、条状の凹部２１と、条状の凸部２２と、が形成されており、条状の凹部２１と条状の凸部２２とにより形成される線状模様は、他の条状の凹部２１と条状の凸部２２とにより形成される線状模様と交差して杉綾模様を形成している。したがって、どの方向に拭き取りを行っても、汚れを綺麗に拭き取ることができる。
【００５３】
なお、本発明は、上記した実施の形態のものに限るものではなく、その要旨を逸脱しない範囲で適宜変更可能である。
本発明のウェットティシュー１は、身体又はお尻拭き、使い捨ておしぼり、清掃用シートなどのウェットタイプの拭き取り用品であれば、その形状・用途の限定なく利用できるものである。
【図面の簡単な説明】
【００５４】
【図１】本発明のウェットティシューの平面図の一例である。
【図２】本発明のウェットティシューが備えるティシュー基材の断面図の一例である。
【図３】本発明のウェットティシューが備えるティシュー基材の断面図の他の例である。
【図４】本発明のウェットティシューの平面図の他の例である。
【図５】保湿試験の結果を示す図である。
【図６】摩擦試験の結果を示す図である。
【符号の説明】
【００５５】
１  ウェットティシュー
２  ティシュー基材
３  薬液
２１  凹部
２２  凸部
【図１】
2009131474.tif 000004
【図２】
2009131474.tif 000005
【図３】
2009131474.tif 000006
【図４】
2009131474.tif 000007
【図５】
2009131474.tif 000008
【図６】
2009131474.tif 000009